(57)【特許請求の範囲】
【請求項１】
撮像レンズ部と撮影画像及び再生画像表示用のモニタ部とをカメラ本体に備えたカメラ装置であって、
前記カメラ本体に対しスライド可能に組み付けられ、シャッターボタンを上面部で前記カメラ本体とは反対側の端部寄りに設け、少なくとも前記モニタ部を覆う部分を有するカバー部材を備えるとともに、
このカバー部材の前記カメラ本体側とは反対側の端部に、電池を収納する電池収納部を設け、
前記カバー部材のスライド操作で前記モニタ部を覆ったまま前記撮像レンズ部及び前記光学ファインダ部を露出し、カメラ装置の電源はＯＮ状態で、前記モニタ部の電源はＯＦＦ状態である半開きモードと、
前記半開きモードの状態から更に前記カバー部材をスライド操作し、前記モニタ部を露出し、カメラ装置の電源はＯＮ状態で、前記モニタ部の電源もＯＮ状態である全開きモードと、を有することを特徴とするカメラ装置。
【請求項２】
前記カバー部材は、前記撮像レンズ部を覆う部分も有していること、を特徴とする請求項１記載のカメラ装置。
【請求項３】
前記カバー部材のスライド操作による開閉動作に連動して電源スイッチのオン・オフ動作が行われること、を特徴とする請求項１または２記載のカメラ装置。
【請求項４】
前記カメラ本体には、光学ファインダ部が備えられており、前記カバー部材は、この光学ファインダ部を覆う部分も有していること、を特徴とする請求項２または３記載のカメラ装置。
【発明の詳細な説明】
【０００１】
【発明の属する技術分野】
本発明は、モニタを備えたカメラ装置に関するものである。
【０００２】
【従来の技術】
カメラにおいて、撮像レンズ部とファインダ部を、一体のカバーで覆うことにより、携帯時に保護できるようにしたものが従来からあった。
また、近年普及している電子スチルカメラでは、液晶表示パネルを用いたモニタを装備するものが多い。
【０００３】
【発明が解決しようとする課題】
ところで、電子スチルカメラにおいて、従来のカメラと同様に、一体のカバーで撮像レンズ部とモニタ部を覆うようにする場合、比較的面積の広い液晶表示パネルによるモニタを覆わなければならないことから、使用時にカバーを開く量が大きくなる。
しかし、使用時において、カバーを開く量が大きくなると、本体側が重いのに対して、カバーが軽くなってしまい、重量バランスが悪く、撮影の際に取り扱いにくいものとなる問題がある。
【０００４】
本発明の課題は、モニタを備えるカメラ装置において、携帯時にモニタを覆って保護するカバーを備えながら、使用時にカバーを開いた状態での重量バランスが良く、撮影の際の取り扱いが安定し、手振れしにくいようにすることである。
【０００５】
【課題を解決するための手段】
以上の課題を解決すべく請求項１記載の発明は、撮像レンズ部と撮影画像及び再生画像表示用のモニタ部とをカメラ本体に備えたカメラ装置であって、前記カメラ本体に対しスライド可能に組み付けられ、シャッターボタンを上面部で前記カメラ本体とは反対側の端部寄りに設け、少なくとも前記モニタ部を覆う部分を有するカバー部材を備えるとともに、このカバー部材の前記カメラ本体側とは反対側の端部に、電池を収納する電池収納部を設け、前記カバー部材のスライド操作で前記モニタ部を覆ったまま前記撮像レンズ部及び前記光学ファインダ部を露出し、カメラ装置の電源はＯＮ状態で、前記モニタ部の電源はＯＦＦ状態である半開きモードと、前記半開きモードの状態から更に前記カバー部材をスライド操作し、前記モニタ部を露出し、カメラ装置の電源はＯＮ状態で、前記モニタ部の電源もＯＮ状態である全開きモードと、を有することを特徴としている。
【０００６】
ここで、撮像レンズ部は、例えば、ＣＣＤに焦点を合わせたものが挙げられるが、光学系のみからなるものでも良い。
モニタ部は、例えば、液晶表示パネルが代表的であるが、他の表示手段によるものでも良い。
カメラ本体は、撮像レンズ部及びモニタ部の他に、各種スイッチ等による操作部を備えるものであり、さらに、光学ファインダ部を備えるものでも良い。
カメラ装置としては、撮像素子としてＣＣＤを用いた電子スチルカメラが挙げられるが、他の素子を用いたカメラであっても良い。
カバー部材は、例えば、カメラ本体の表裏両面を覆うボックス状のものが挙げられるが、少なくともモニタ部を覆うものであれば、どのような形状のものでも良い。また、カバー部材のスライド方向は、横方向であっても、縦方向であっても良い。
電池収納部は、カメラ本体側と反対側の端部に位置するものであれば、どのような形状・構造のものでも良い。
【０００７】
以上のように、請求項１記載の発明によれば、スライド可能でモニタ部を覆う部分を有するカバー部材のカメラ本体側とは反対側の端部に電池収納部を設けたカメラ装置なので、携帯時において、モニタ部をカバー部材により覆って保護できる。そして、カメラ本体に対しカバー部材を横に開いてモニタ部を露出させた状態にして、一方の手でカメラ本体を持ち、他方の手でカバー部材を持って、モニタ部を見ながら行う撮影の際には、カバー部材のカメラ本体側とは反対側の端部に電池収納部があるので、取り扱い上の左右の重量バランスが安定し、手振れしにくいものとなる。また、カバー部材の半開き状態で、撮像レンズ部及び光学ファインダ部を露出させて撮影でき、モニタ部を使用しないことから、消費電力を節約できる。
【０００８】
請求項２記載の発明は、
請求項１記載のカメラ装置であって、
前記カバー部材は、前記撮像レンズ部を覆う部分も有している構成、
を特徴としている。
【０００９】
このように、請求項２記載の発明によれば、請求項１記載のカバー部材が撮像レンズ部を覆う部分も有しているカメラ装置なので、携帯時にモニタ部と一緒に撮像レンズ部をカバー部材により覆って保護できる一方、カバー部材を開いてモニタ部と一緒に撮像レンズ部を露出させて撮影できる。
【００１０】
請求項３記載の発明は、
請求項１または２記載のカメラ装置であって、
前記カバー部材のスライド操作による開閉動作に連動して電源スイッチのオン・オフ動作が行われる構成、
を特徴としている。
【００１１】
このように、請求項３記載の発明によれば、請求項１または２記載のカバー部材のスライド操作による開閉動作に連動して電源スイッチのオン・オフ動作が行われるカメラ装置なので、カバーを開ければ、電源スイッチがオンとなって撮影でき、また、カバーを閉めると、電源スイッチがオフとなって電源の切り忘れを防げる。
【００１２】
請求項４記載の発明は、
請求項２または３記載のカメラ装置であって、
前記カメラ本体には、光学ファインダ部が備えられており、
前記カバー部材は、この光学ファインダ部を覆う部分も有している構成、
を特徴としている。
【００１３】
このように、請求項４記載の発明によれば、請求項２または３記載のカバー部材が光学ファインダ部を覆う部分も有しているカメラ装置なので、携帯時にモニタ部及び撮像レンズ部と一緒に光学ファインダ部をカバー部材により覆って保護できる一方、カバー部材を開いてモニタ部及び撮像レンズ部と一緒に光学ファインダ部を露出させて撮影できる。
【００１６】
【発明の実施の形態】
以下に、本発明に係るカメラ装置の実施の形態例を図１から図１１に基づいて説明する。
先ず、図１から図３は、本発明を適用した一例としてのカメラ装置を示すもので、カバー部材を閉じた状態を示した正面図、平面図及び背面図であり、図４と図５は、内部の概略構成を示した横断面図及び縦断面図である。
また、図６はカバー部材を半開き状態とした使用状態を示した正面図である。そして、図７から図９は、カバー部材を全開状態とした使用状態を示した背面図、正面図及び平面図であり、図１０と図１１は、内部の概略構成を示した横断面図及び縦断面図である。
【００１７】
これらの図１から図１１において、１はカメラ本体、２はカバー部材、３はシャッターボタン、４は撮像レンズ部、５は光学ファインダ部、６はＣＣＤ、７はモニタ部、８は液晶表示パネル、９は電池収納部、Ｂは電池である。
この実施の形態例において、本発明を適用するカメラ装置は電子スチルカメラであり、図示のように、カメラ本体１に、一側部のみが開放されたボックス状のカバー部材２を横方向へスライド操作可能に組み付けたものである。
シャッターボタン３は、ボックス状のカバー部材２の上面部でカメラ本体１とは反対側の端部寄りに設けられており、このシャッターボタン３に隣接するようにして複数の操作ボタンが設けられている。
また、正面側を向く撮像レンズ部４とその上方の光学ファインダ部５は、カメラ本体１のカバー部材２とは反対側の端部寄りに設けられている。
【００１８】
カメラ本体１には、図示のように、各種操作ボタンが設けられるとともに、撮像レンズ部４からの画像を取り込むＣＣＤ（Charge Coupled Device：固体撮像素子）６と、その撮影画像をデジタル情報化して記憶するための図示しない記憶回路並びに制御回路が内蔵されている。
さらに、カメラ本体１の撮像レンズ部４とは反対側の背面側には、撮影画像及び再生画像表示用のモニタ部７が設けられている。
このモニタ部７は、液晶表示パネル８により構成されるもので、光学ファインダ部５の横隣に位置している。
そして、ボックス状のカバー部材２の内部には、カメラ本体１とは反対側の端部に電池収納部９が設けられており、この電池収納部９に２本の電池Ｂ，Ｂが収納されている。
【００１９】
ところで、カバー部材２とカメラ本体１とは、図示しないフレキシブル基板や導電金属板等の電力供給手段を介して電気的に接続されている。
また、図示しない電源スイッチは、カメラ本体１に対するカバー部材２の開閉動作に連動するものとなっており、即ち、カメラ本体１に対しカバー部材２を閉じた状態でＯＦＦとなり、また、カバー部材２を開けた状態でＯＮとなるように設定されている。
さらに、カバー部材２は、全閉状態と全開状態の他に、モニタ部７のみを閉じたままで撮像レンズ部４及び光学ファインダ部５を露出させる半開き位置で一旦ロック状態に保持される半開きモードを有している。
なお、モニタ部７（液晶表示パネル８）の電源は、半開きモードを越えて全開状態となるまではＯＦＦ状態に維持され、全開状態となってＯＮとなるよう設定されている。
【００２０】
次に、以上の電子スチルカメラの使い方について説明する。
携帯時には、図１から図５に示すように、カメラ本体１に、ボックス状のカバー部材２が全閉状態となって、撮像レンズ部４、光学ファインダ部５、モニタ部７及び各種操作ボタンがカバー部材２により覆われた状態となる。
従って、携帯時において、撮像レンズ部４、光学ファインダ部５、モニタ部７及び各種操作ボタンの保護が図れる。
また、携帯時において、このようなカメラ本体１に対するカバー部材２の全閉状態で電源スイッチは０ＦＦとなっているので、不使用時の不用意な電源ＯＮの心配が無い。
なお、この時、カバー部材２内の電池収納部９に収納した電池Ｂ，Ｂは、図４及び図５に示したように、カメラ本体１の端部に接近状態となっている。
【００２１】
撮影に際しては、図２に矢印で示したように、ボックス状のカバー部材２からカメラ本体１を引き出す。
このように、カバー部材２からカメラ本体１を引き出す際において、図６に示したように、モニタ部７のみを閉じたままで撮像レンズ部４及び光学ファインダ部５が露出した半開き位置で一旦ロック状態に保持されて、半開きモードとなる。
この半開きモードでは、電源スイッチがＯＮとなるので、光学ファインダ部５を覗きながらの撮影が行える。
従って、カバー部材２からカメラ本体１全体を引き出さない状態でも、撮影に使用できる。
なお、このような半開きモードでは、モニタ部７（液晶表示パネル８）の電源がＯＦＦとなっているので、使用しないモニタ部７（液晶表示パネル８）の消費電力を節約できる。
【００２２】
そして、以上の半開きモードを経て、カバー部材２からカメラ本体１を大きく引き出して、カメラ本体１に対しカバー部材２を全開状態とすると、図７から図１１に示したように、撮像レンズ部４、光学ファインダ部５、モニタ部７及び各種操作ボタンが完全に露出状態となる。
この時、カバー部材２内の電池収納部９に収納した電池Ｂ，Ｂは、図１０及び図１１に示したように、カメラ本体１の端部から大きく離れた状態となっており、また、モニタ部７（液晶表示パネル８）の電源がＯＮとなる。
こうして、使用者は、左手でカメラ本体１を持って、右手でカバー部材２を持った状態で、図８に示すように、モニタ部７を見ながら右指でシャッターボタン３を押して撮影する。
【００２３】
この撮影の際、カバー部材２内の電池収納部９（電池Ｂ，Ｂ）がカメラ本体１の端部から大きく離れた状態となっているため、左手でカメラ本体１を持って、右手でカバー部材２を持った状態で行う取り扱い上の左右の重量バランスが安定する。
従って、手振れしにくいものとなって、良好な撮影が行える。
【００２４】
ところで、実施の形態例では、横方向にスライド式のカバー部材２としたが、縦方向にスライド式としたカバー部材であっても良い。
このように、縦方向にスライド式のカバー部材の場合には、上下の重量バランスが安定し、手振れしにくいものとなるといった効果が得られる。
【００２５】
なお、以上の実施の形態例においては、電子スチルカメラとしたが、本発明はこれに限定されるものではなく、他に、アナログカメラでデジタル変換による画像記録機能とモニタによる画像再生機能を兼備するカメラであっても良い。
また、各部の具体的な構造やデザイン等も任意であり、その他、具体的な細部構造等についても適宜に変更可能であることは勿論である。
【００２６】
【発明の効果】
以上のように、請求項１記載の発明に係るカメラ装置によれば、スライド可能でモニタ部を覆う部分を有するカバー部材のカメラ本体側とは反対側の端部に電池収納部を設けたため、携帯時において、モニタ部をカバー部材により覆って保護することができ、しかも、一方の手でカメラ本体を持ち、他方の手で横にスライドさせたカバー部材を持って、モニタ部を見ながら行う撮影の際には、カバー部材のカメラ本体側とは反対側の端部に電池収納部があるため、取り扱い上の左右の重量バランスを安定させて、手振れしにくいものとすることができる。さらに、カバー部材の半開き状態で、撮像レンズ部及び光学ファインダ部を露出させて撮影することができ、モニタ部を使用しないことから、消費電力を節約することができるといった利点が得られる。
【００２７】
請求項２記載の発明に係るカメラ装置によれば、カバー部材が撮像レンズ部を覆う部分も有しているため、請求項１記載の発明により得られる効果に加えて、携帯時にモニタ部及び撮像レンズ部を保護することができる一方、モニタ部及び撮像レンズ部を露出させて撮影することができるといった利点が得られる。
【００２８】
請求項３記載の発明に係るカメラ装置によれば、カバー部材の開閉動作に連動して電源スイッチがオン・オフ動作するため、請求項１または２記載の発明により得られる効果に加えて、カバーを開ければ、電源スイッチがオンとなって撮影することができ、また、カバーを閉めると、電源スイッチがオフとなって電源の切り忘れを防止することができるといった利点が得られる。
【００２９】
請求項４記載の発明に係るカメラ装置によれば、カバー部材が光学ファインダ部を覆う部分も有しているため、請求項２または３記載の発明により得られる効果に加えて、携帯時にモニタ部と撮像レンズ部及び光学ファインダ部を保護することができる一方、モニタ部と撮像レンズ部及び光学ファインダ部を露出させて撮影することができるといった利点が得られる。
【図面の簡単な説明】
【図１】本発明を適用した一例としてのカメラ装置を示すもので、カバー部材を閉じた状態を示した正面図である。
【図２】図１のカメラ装置を上方から見た平面図である。
【図３】図１のカメラ装置を反対側から見た背面図である。
【図４】図２の状態の概略断面図である。
【図５】図１の状態の概略断面図である。
【図６】図１の状態からカバー部材を半開き状態とした使用状態を示した正面図である。
【図７】図３の状態からカバー部材を全開状態とした使用状態を示した背面図である。
【図８】図７のカメラ装置を反対側から見た正面図である。
【図９】図７のカメラ装置を上方から見た平面図である。
【図１０】図９の状態の概略断面図である。
【図１１】図７の状態の概略断面図である。
【符号の説明】
１  カメラ本体
２  カバー部材
３  シャッターボタン
４  撮像レンズ部
５  光学ファインダ部
６  ＣＣＤ
７  モニタ部
８  液晶表示パネル
９  電池収納部
Ｂ  電池
【図１】
0003674275.tif 000002
【図２】
0003674275.tif 000003
【図３】
0003674275.tif 000004
【図４】
0003674275.tif 000005
【図５】
0003674275.tif 000006
【図６】
0003674275.tif 000007
【図７】
0003674275.tif 000008
【図８】
0003674275.tif 000009
【図９】
0003674275.tif 000010
【図１０】
0003674275.tif 000011
【図１１】
0003674275.tif 000012